(57)【要約】【課題】親が暗証番号を管理する場合に子供がダイヤルロック機能を解除可能な携帯電話機を提供する。【解決手段】携帯電話機１の制御部１２はダイヤルロック手段１２１によってダイヤルロック状態となった後に、キー操作部１４から暗証番号が入力されると、端末暗証番号記憶領域１３１の端末暗証番号か、ダイヤルロック解除番号記憶領域１３２のダイヤルロック解除番号かを判定する。制御部１２は暗証番号をダイヤルロック解除番号と判定した場合、暗証番号設定情報記憶領域１３３内の予め設定された所定機能のダイヤルロック状態を解除する。【選択図】      図１
2004159022.tif 000002
【特許請求の範囲】
【請求項１】
入力された暗証番号が正しいと判定された場合に各種機能の設定や解除を行うとともに、設定時にキー入力を無効とするダイヤルロックが設定自在な携帯電話機であって、予め設定されかつ前記ダイヤルロックを専用に解除するためのダイヤルロック解除番号を保持する保持手段と、前記ダイヤルロックの状態の時に入力される暗証番号が前記保持手段に保持されたダイヤルロック解除番号か否かを判定する判定手段と、前記判定手段が前記ダイヤルロック解除番号と判定した時に前記ダイヤルロックの状態を解除する手段とを有することを特徴とする携帯電話機。
【請求項２】
前記ダイヤルロック解除番号によって前記ダイヤルロックの状態を解除可能な機能を設定自在としたことを特徴とする請求項１記載の携帯電話機。
【請求項３】
前記機能が発信機能であることを特徴とする請求項２記載の携帯電話機。
【請求項４】
前記機能が予め登録された電話番号への発信機能であることを特徴とする請求項２または請求項３記載の携帯電話機。
【請求項５】
前記機能がインタネットの閲覧機能であることを特徴とする請求項２から請求項４のいずれか記載の携帯電話機。
【請求項６】
前記機能が電子メールの送受信機能であることを特徴とする請求項２から請求項５のいずれか記載の携帯電話機。
【請求項７】
各々少なくとも１つの機能に対応付けられたダイヤルロック解除番号を複数個設定自在としたことを特徴とする請求項１から請求項６のいずれか記載の携帯電話機。
【請求項８】
入力された暗証番号が正しいと判定された場合に各種機能の設定や解除を行うとともに、設定時にキー入力を無効とするダイヤルロックが設定自在な携帯電話機のダイヤルロック解除方法であって、前記ダイヤルロックの状態の時に入力される暗証番号が予め設定されかつ前記ダイヤルロックを専用に解除するためのダイヤルロック解除番号を保持する保持手段に保持されたダイヤルロック解除番号か否かを判定するステップと、前記ダイヤルロック解除番号と判定された時に前記ダイヤルロックの状態を解除するステップとを有することを特徴とするダイヤルロック解除方法。
【請求項９】
前記ダイヤルロック解除番号によって前記ダイヤルロックの状態を解除可能な機能を設定自在としたことを特徴とする請求項８記載のダイヤルロック解除方法。
【請求項１０】
前記機能が発信機能であることを特徴とする請求項９記載のダイヤルロック解除方法。
【請求項１１】
前記機能が予め登録された電話番号への発信機能であることを特徴とする請求項９または請求項１０記載のダイヤルロック解除方法。
【請求項１２】
前記機能がインタネットの閲覧機能であることを特徴とする請求項９から請求項１１のいずれか記載のダイヤルロック解除方法。
【請求項１３】
前記機能が電子メールの送受信機能であることを特徴とする請求項９から請求項１２のいずれか記載のダイヤルロック解除方法。
【請求項１４】
各々少なくとも１つの機能に対応付けられたダイヤルロック解除番号を複数個設定自在としたことを特徴とする請求項８から請求項１３のいずれか記載のダイヤルロック解除方法。
【請求項１５】
入力された暗証番号が正しいと判定された場合に各種機能の設定や解除を行うとともに、設定時にキー入力を無効とするダイヤルロックが設定自在な携帯電話機のダイヤルロック解除方法のプログラムであって、コンピュータに、前記ダイヤルロックの状態の時に入力される暗証番号が予め設定されかつ前記ダイヤルロックを専用に解除するためのダイヤルロック解除番号を保持する保持手段に保持されたダイヤルロック解除番号か否かを判定する処理と、前記ダイヤルロック解除番号と判定された時に前記ダイヤルロックの状態を解除する処理とを実行させるためのプログラム。
【請求項１６】
前記コンピュータに、前記ダイヤルロック解除番号の入力時に予め設定された機能のダイヤルロック状態を解除する処理を実行させるための請求項１５記載のプログラム。
【発明の詳細な説明】
【０００１】
【発明の属する技術分野】
本発明は携帯電話機及びそれに用いるダイヤルロック解除方法並びにそのプログラムに関し、特に携帯電話機におけるキー入力を無効とするダイヤルロックの解除方法に関する。
【０００２】
【従来の技術】
従来、携帯電話機においては、盗難や置き忘れによる紛失時に他人に無断使用されないように、あるいは鞄等への収納時に誤ってキー入力が行われないようにするために、暗証番号（端末暗証番号）の入力等以外のキー入力を無効とするダイヤルロック機能を備えている（例えば、非特許文献１参照）。
【０００３】
この携帯電話機では予め設定されたキーの組合せを押下するか、あるいは操作メニューや設定メニューの中のダイヤルロック機能の項目を選択することで、ダイヤルロック機能が有効となり、暗証番号の入力以外のキー入力が即座に無効とされる。つまり、従来の携帯電話機では、キー入力が無効となっている状態で、暗証番号を入力すれば、ダイヤルロック機能が無効（解除）となり、キー入力が有効となる。
【０００４】
上記の暗証番号はダイヤルロック機能の解除のほかに、携帯電話機の各種機能の設定、例えば、「端末暗証番号の変更」、「電話番号設定」、「禁止動作設定」、「シークレットモード」、「シークレット専用モード」、「非通知着信設定」、「設定リセット」、「電話帳指定設定」、「接続先設定」、「メールセキュリティ設定」、「履歴表示設定」等に用いられている（例えば、非特許文献２参照）。
【０００５】
【非特許文献１】
「誤動作を防ぐダイヤルロック」［ＮＴＴドコモ（Ｒ）、ムーバＮ５０４ｉ取扱説明書、基本編、第２０頁、２００２年４月］
【非特許文献２】
「暗証番号について」［ＮＴＴドコモ（Ｒ）、ムーバＮ５０４ｉ取扱説明書、基本編、第１６３頁、２００２年４月］
【０００６】
【発明が解決しようとする課題】
上述した従来の携帯電話機では、紛失時の無断使用や収納時の誤操作を防ぐためにダイヤルロック機能が搭載されているが、このダイヤルロック機能を解除するのに暗証番号が用いられている。
【０００７】
しかしながら、暗証番号は１端末に１つしか用いることができないため、親が子供に携帯電話機を買い与えた場合、親が暗証番号を管理すると、ダイヤルロック機能が有効になっても子供がダイヤルロック機能を解除することができなくなる。
【０００８】
これに対し、子供が暗証番号を管理すると、携帯電話機に備えている機能全てが使用可能となり、インタネットの有料のコンテンツ閲覧や電子メールの使用頻度の増加、通話時間の増加等による課金料金の増大を防ぐことができなくなり、その端末に対する課金を親が管理することができない。
【０００９】
そこで、本発明の目的は上記の問題点を解消し、親が暗証番号を管理する場合に子供がダイヤルロック機能を解除することができる携帯電話機及びそれに用いるダイヤルロック解除方法並びにそのプログラムを提供することにある。
【００１０】
また、本発明の他の目的は、端末に対する課金を親が管理することができる携帯電話機及びそれに用いるダイヤルロック解除方法並びにそのプログラムを提供することにある。
【００１１】
【課題を解決するための手段】
本発明による携帯電話機は、入力された暗証番号が正しいと判定された場合に各種機能の設定や解除を行うとともに、設定時にキー入力を無効とするダイヤルロックが設定自在な携帯電話機であって、予め設定されかつ前記ダイヤルロックを専用に解除するためのダイヤルロック解除番号を保持する保持手段と、前記ダイヤルロックの状態の時に入力される暗証番号が前記保持手段に保持されたダイヤルロック解除番号か否かを判定する判定手段と、前記判定手段が前記ダイヤルロック解除番号と判定した時に前記ダイヤルロックの状態を解除する手段とを備えている。
【００１２】
本発明による他の携帯電話機は、上記の構成において、前記ダイヤルロック解除番号によって前記ダイヤルロックの状態を解除可能な機能を設定自在としている。
【００１３】
本発明によるダイヤルロック解除方法は、入力された暗証番号が正しいと判定された場合に各種機能の設定や解除を行うとともに、設定時にキー入力を無効とするダイヤルロックが設定自在な携帯電話機のダイヤルロック解除方法であって、前記ダイヤルロックの状態の時に入力される暗証番号が予め設定されかつ前記ダイヤルロックを専用に解除するためのダイヤルロック解除番号を保持する保持手段に保持されたダイヤルロック解除番号か否かを判定するステップと、前記ダイヤルロック解除番号と判定された時に前記ダイヤルロックの状態を解除するステップとを備えている。
【００１４】
本発明による他のダイヤルロック解除方法は、上記の処理において、前記ダイヤルロック解除番号によって前記ダイヤルロックの状態を解除可能な機能を設定自在としている。
【００１５】
本発明によるダイヤルロック解除方法のプログラムは、入力された暗証番号が正しいと判定された場合に各種機能の設定や解除を行うとともに、設定時にキー入力を無効とするダイヤルロックが設定自在な携帯電話機のダイヤルロック解除方法のプログラムであって、コンピュータに、前記ダイヤルロックの状態の時に入力される暗証番号が予め設定されかつ前記ダイヤルロックを専用に解除するためのダイヤルロック解除番号を保持する保持手段に保持されたダイヤルロック解除番号か否かを判定する処理と、前記ダイヤルロック解除番号と判定された時に前記ダイヤルロックの状態を解除する処理とを実行させている。
【００１６】
本発明による他のダイヤルロック解除方法のプログラムは、前記コンピュータに、上記の処理のほかに、前記ダイヤルロック解除番号の入力時に予め設定された機能のダイヤルロック状態を解除する処理を実行させている。
【００１７】
すなわち、本発明の携帯電話機は、各種機能の設定や解除に用いられる暗証番号以外に、ダイヤルロック状態のみを専用に解除するダイヤルロック解除番号を設定自在としている。これによって、本発明の携帯電話機では、親が暗証番号を管理する場合でも、子がダイヤルロック機能を解除することが可能となる。
【００１８】
また、本発明の携帯電話機では、上記のダイヤルロック解除番号によって解除可能な機能を設定自在としている。これによって、本発明の携帯電話機では、親が携帯電話機に対する子の利用範囲を限定することが可能となるので、携帯電話機に対する課金を親が管理することが可能となる。
【００１９】
【発明の実施の形態】
次に、本発明の実施例について図面を参照して説明する。図１は本発明の一実施例による携帯電話機の構成を示すブロック図である。図１において、携帯電話機１はアンテナ１１と、制御部１２と、メモリ１３と、キー操作部１４と、表示部１５と、無線部１６と、信号処理部１７と、記録媒体１８と、スピーカ１９と、マイク２０とから構成されている。
【００２０】
アンテナ１１は電波の送受信を行い、キー操作部１４ではユーザが各種設定や暗証番号の操作、あるいは発着信の操作を行い、表示部１５は各種設定や暗証番号の操作、あるいは発着信の操作を行う際の操作メニューを表示する。無線部１６は無線関係の処理を行い、信号処理部１７は受信信号や送信信号を処理する。スピーカ１９は受信した音声を出力し、マイク２０は音声を入力する。
【００２１】
制御部１２はメモリ１３とキー操作部１４と表示部１５と無線部１６と信号処理部１７とにそれぞれ接続され、それら各部の制御を行う。また、制御部１２は上述した暗証番号の入力等以外のキー入力を無効とするダイヤルロックをキー操作部１４に対して行うダイヤルロック手段１２１を備えている。
【００２２】
メモリ１３は各種設定内容や暗証番号等を記憶しており、特に端末暗証番号を記憶する端末暗証番号記憶領域１３１と、キー操作部１４に対するダイヤルロック等の予め設定された機能におけるキー入力を無効とするダイヤルロック（禁止状態）を解除して使用可能とするダイヤルロック解除番号を記憶するダイヤルロック解除番号記憶領域１３２と、上記のダイヤルロックの対象となる機能等の情報（以下、暗証番号設定情報とする）を記憶する暗証番号設定情報記憶領域１３３とを備えている。尚、ダイヤルロック解除番号がダイヤルロックのみの解除に用いられる場合には、暗証番号設定情報記憶領域１３３を設けなくともよい。
【００２３】
記録媒体２０は上記の各部の処理を実現するためのプログラム（コンピュータで実行可能なプログラム）を格納しており、制御部１２は記録媒体２０のプログラムを実行することで、上記の各部を制御する。
【００２４】
図２は図１のメモリ１３の暗証番号設定情報記憶領域１３３の構成例を示す図である。図２において、暗証番号設定情報記憶領域１３３には暗証番号と、その暗証番号に対応する暗証番号設定情報を示す設定内容が格納されている。
【００２５】
例えば、暗証番号がダイヤルロック解除番号＃１の場合には「登録番号への発信機能」の解除に用いられることが設定内容として格納され、暗証番号がダイヤルロック解除番号＃２の場合には「発信機能」、「インタネット閲覧機能」の解除に用いられることが設定内容として格納されている。
【００２６】
尚、図２では暗証番号設定情報記憶領域１３３にダイヤルロック解除番号＃１，＃２を格納しているが、暗証番号設定情報記憶領域１３３に一つの、あるいは３つ以上のダイヤルロック解除番号を格納しておくことも可能である。
【００２７】
図３は本発明の一実施例による携帯電話機１のダイヤルロック解除番号の設定手順の一例を示す図である。これら図２及び図３を参照して携帯電話機１のダイヤルロック解除番号の設定手順について説明する。
【００２８】
まず、携帯電話機１のダイヤルロック解除番号を設定する場合、表示部１５のメニュー画面上でダイヤルロック解除番号設定が選択されると［図３（ａ）参照］、制御部１２は表示部１５の設定画面上に端末暗証番号の入力を促す画面を表示する［図３（ｂ）参照］。
【００２９】
使用者（親）が端末暗証番号をキー操作部１４から入力すると、制御部１２はその端末暗証番号が正しか否かを判定し、正しければ、表示部１５の設定画面上にダイヤルロック解除番号の設定を促す画面を表示する［図３（ｃ）参照］。この設定画面上で使用者（親）がダイヤルロック解除番号をキー操作部１４から入力すると、制御部１２はそのダイヤルロック解除番号をダイヤルロック解除番号記憶領域１３２に格納する。
【００３０】
その後、制御部１２は表示部１５の設定画面上にダイヤルロック解除番号によってどのような機能（上記の禁止状態とする機能）のダイヤルロックを解除するのかの設定を促す画面を表示する［図２（ｄ）参照］。この設定画面では、例えば「発信機能」、「予め設定された登録番号のみの発信機能」、「メール機能」、「インタネット閲覧機能」等のダイヤルロックの解除が設定可能となっている。
【００３１】
この設定画面上で使用者（親）がダイヤルロック解除番号の設定内容をキー操作部１４から入力すると、制御部１２はそのダイヤルロック解除番号と設定内容とを暗証番号設定情報記憶領域１３３に格納する（図２参照）。
【００３２】
図４は本発明の一実施例による携帯電話機１のダイヤルロックの解除手順例を示すフローチャートである。これら図１〜図４を参照して本発明の一実施例による携帯電話機１のダイヤルロックの解除手順について説明する。尚、図４に示す処理は制御部１２が記録媒体１８のプログラムを実行することで実現される。
【００３３】
携帯電話機１の制御部１２は予め設定されたキーの組合せが押下されるか、あるいは操作メニューや設定メニューの中のダイヤルロック機能の項目が選択されると、ダイヤルロック手段１２１によってダイヤルロック状態となる（図４ステップＳ１）。このダイヤルロック状態では暗証番号の入力のみが有効となっており、他のキー入力が無効となる。
【００３４】
制御部１２はダイヤルロック状態で暗証番号が入力されるまで（図４ステップＳ２）、ダイヤルロック状態を維持する。この場合、ダイヤルロック状態には一部の機能におけるキー入力を無効とするダイヤルロック状態と、全ての機能におけるキー入力を無効とするダイヤルロック状態とがある。
【００３５】
制御部１２は暗証番号が入力されると（図４ステップＳ２）、その暗証番号が端末暗証番号記憶領域１３１の端末暗証番号か、ダイヤルロック解除番号記憶領域１３２のダイヤルロック解除番号かを判定する（図４ステップＳ３）。制御部１２は暗証番号を端末暗証番号と判定した場合、全ての機能のダイヤルロック状態を解除する（図４ステップＳ４）。
【００３６】
また、制御部１２は暗証番号をダイヤルロック解除番号と判定した場合、暗証番号設定情報記憶領域１３３内の予め設定された所定機能のダイヤルロック状態を解除する（図４ステップＳ５）。この場合、所定機能のダイヤルロック状態の解除としては全ての機能に対するダイヤルロック状態の解除でも、また一部の機能に対するダイヤルロック状態の解除でもよい。
【００３７】
例えば、入力された暗証番号がダイヤルロック解除番号＃１の場合には、「登録番号への発信機能」のダイヤルロック状態が解除され、予め設定された登録番号（例えば、親や友人が使用する端末の電話番号）への発信のみが許可される。よって、「ワン切り」等の一回または数回の着信音のみで切断される着信があっても、その発信元の電話番号が登録されていなければ、現在の使用者（子）がその電話番号に発信することはできない。
【００３８】
また、入力された暗証番号がダイヤルロック解除番号＃２の場合には、「登録番号への発信機能」及び「インタネット閲覧機能」のダイヤルロック状態が解除され、予め設定された登録番号への発信と、インタネットの閲覧とが許可される。これによって、使用者（親）が暗証番号を管理する場合でも、使用者（子）がダイヤルロック機能を解除することができるとともに、端末（携帯電話機１）に対する課金を使用者（親）が管理することができる。
【００３９】
このように、本実施例では、暗証番号以外に、ダイヤルロック状態のみを専用に解除するダイヤルロック解除番号を設定自在とすることによって、使用者（親）が暗証番号を管理する場合でも、使用者（子）がダイヤルロック機能を解除することができる。
【００４０】
また、本実施例では、上記のダイヤルロック解除番号によって解除可能な機能を設定自在とすることによって、使用者（親）が携帯電話機１に対する使用者（子）の利用範囲を限定することができるので、携帯電話機１に対する課金を使用者（親）が管理することができる。
【００４１】
【発明の効果】
以上説明したように本発明の携帯電話機は、入力された暗証番号が正しいと判定された場合に各種機能の設定や解除を行うとともに、設定時にキー入力を無効とするダイヤルロックが設定自在な携帯電話機において、予め設定されかつダイヤルロックを専用に解除するためのダイヤルロック解除番号を保持手段に保持しておき、ダイヤルロックの状態の時に入力される暗証番号が保持手段に保持されたダイヤルロック解除番号と判定された時にダイヤルロックの状態を解除することによって、親が暗証番号を管理する場合に子供がダイヤルロック機能を解除することができるという効果が得られる。
【００４２】
また、本発明の他の携帯電話機は、上記の処理において、ダイヤルロック解除番号によってダイヤルロックの状態を解除可能な機能を設定自在とすることによって、端末に対する課金を親が管理することができるという効果が得られる。
【図面の簡単な説明】
【図１】本発明の一実施例による携帯電話機の構成を示すブロック図である。
【図２】図１のメモリの暗証番号設定情報記憶領域の構成例を示す図である。
【図３】本発明の一実施例による携帯電話機のダイヤルロック解除番号の設定手順の一例を示す図である。
【図４】本発明の一実施例による携帯電話機のダイヤルロックの解除手順例を示すフローチャートである。
【符号の説明】
１  携帯電話機
１１  アンテナ
１２  制御部
１３  メモリ
１４  キー操作部
１５  表示部
１６  無線部
１７  信号処理部
１８  記録媒体
１９  スピーカ
２０  マイク
１２１  ダイヤルロック手段
１３１  端末暗証番号記憶領域
１３２  ダイヤルロック解除番号記憶領域
１３３  暗証番号設定情報記憶領域
【図１】
2004159022.tif 000003
【図２】
2004159022.tif 000004
【図３】
2004159022.tif 000005
【図４】
2004159022.tif 000006